(57)【特許請求の範囲】
【請求項１】
複数個の光源を原稿の主走査方向に並べて配置した光源部を有し、該光源部の各光源から原稿台上に載置された原稿に光を照射し、その反射光に基づいて原稿の画像を読み取る画像読取装置において、
前記光源部の各光源の内の指定した個数の光源を点灯したまま前記光源部を前記原稿の副走査方向に往復動作させて、前記原稿台上に原稿を載置する位置ガイドを表示する位置ガイド表示手段を設けたことを特徴とする画像読取装置。
【請求項２】
前記位置ガイドを表示する前記原稿台上の位置を指定する手段を設けたことを特徴とする請求項１記載の画像読取装置。
【請求項３】
前記位置ガイドが明瞭に表示されるように前記往復動作を前記原稿の画像の読み取り時よりも高速にする手段を設けたことを特徴とする請求項１又は２記載の画像読取装置。
【請求項４】
前記光源部を前記原稿の副走査方向に往復動作させながら、前記副走査方向の往復範囲内に設定した等間隔毎の定位置では前記光源部の全光源を点灯し、前記各定位置の間では前記光源部の各光源の内の等間隔を置いた光源のみを点灯する動作を繰り返し、前記原稿台上にマス目状の位置ガイドを表示する手段を設けたことを特徴とする請求項１乃至３のいずれか一項に記載の画像読取装置。
【発明の詳細な説明】
【技術分野】
【０００１】
この発明は、ファクシミリ装置，スキャナ装置，複写機，複合機を含む画像読取装置に関する。
【背景技術】
【０００２】
原稿台に置かれた原稿に光を照射して、原稿の像を撮像してその画像信号を生成することによって原稿の画像を読み取る画像読取装置において、原稿台上に原稿を置く位置を示す位置ガイドを表示して、ユーザが原稿台に原稿を精度良く設置し易くする技術がある。
従来、複数サイズの原稿に対する原稿載置位置またはスケールを付し、一端を原稿走査部上の読取部よりも走査終端側に接続し、他端を巻き取り軸部に接続して原稿走査部の走査終端側への走査に伴って巻き取り軸部に巻き取られる原稿位置指定部材を備え、巻き取り軸部の巻き取り動作を走査部の走査と連動させることにより、原稿を原稿載置台上に置く時には、原稿位置指定部材が原稿載置台の下方の走査領域に位置し、原稿位置指定部材に付された原稿位置指定によって原稿の位置決めが容易になるようにし、一方、原稿の読取時には走査部と連動して原稿位置指定部材が巻き取られることによって、読取部が原稿を読み取る光路を遮ることがないようにして、原稿載置台上に原稿を置く位置を認識し易くした画像読取装置（例えば、特許文献１参照）があった。
【発明の概要】
【発明が解決しようとする課題】
【０００３】
しかしながら、上述のような原稿を置く位置を示す原稿位置指定部材を設けた画像読取装置では、原稿載置台上に原稿を置く位置を認識し易くする目的を達するためのみに使用する原稿位置指定部材とそれを巻き取る機能を含む多数の追加部品が必要になり、画像読取装置の製造コストの増大を招くという問題があった。
この発明は上記の点に鑑みてなされたものであり、追加部品を設けなくても原稿台上に原稿を置く位置ガイドを表示できるようにすることを目的とする。
【課題を解決するための手段】
【０００４】
この発明は上記の目的を達成するため、複数個の光源を原稿の主走査方向に並べて配置した光源部を有し、その光源部の各光源から原稿台上に載置された原稿に光を照射し、その反射光に基づいて原稿の画像を読み取る画像読取装置において、上記光源部の各光源の内の指定した個数の光源を点灯したまま上記光源部を上記原稿の副走査方向に往復動作させて、上記原稿台上に原稿を載置する位置ガイドを表示する位置ガイド表示手段を設けた画像読取装置を提供する。
また、上記位置ガイドが明瞭に表示されるように上記往復動作を高速にする手段を設けるとよい。
さらに、上記往復動作を上記原稿の画像の読み取り時よりも高速にする手段を設けるとよい。
さらにまた、上記光源部を上記原稿の副走査方向に往復動作させながら、上記副走査方向の往復範囲内に設定した等間隔毎の定位置では上記光源部の全光源を点灯し、上記各定位置の間では上記光源部の各光源の内の等間隔を置いた光源のみを点灯する動作を繰り返し、上記原稿台上にマス目状の位置ガイドを表示する手段を設けるとよい。
【発明の効果】
【０００５】
この発明による画像読取装置は、追加部品を設けなくても原稿台上に原稿を置く位置ガイドを表示することができる。
【図面の簡単な説明】
【０００６】
【図１】この発明の実施例の画像読取装置の主要な構成を示す機能ブロック図である。
【図２】図１に示す画像読取装置の原稿台上に表示する位置ガイドの説明図である。
【図３】図１に示す操作部又は外部入力装置の表示部における原稿設置位置を指示する作業画面例の説明図である。
【図４】原稿設置位置指示データと光源点灯位置とを対応させて記憶した原稿基準位置テーブルの一例を示す図である。
【０００７】
【図５】図１に示す操作部又は外部入力装置の表示部における原稿設置位置を指示する他の作業画面例の説明図である。
【図６】図１に示す画像読取装置の原稿台上に表示するマス目状の位置ガイドの説明図である。
【発明を実施するための形態】
【０００８】
以下、この発明を実施するための形態を図面に基づいて具体的に説明する。
〔実施例〕
図１は、この発明の実施例の画像読取装置の主要な構成を示す機能ブロック図である。
この画像読取装置は、スキャナ装置、ファクシミリ装置，複写機，複合機を含む画像形成装置に備わる画像読取装置、又はスキャナ機能付きのプリンタにおける画像読取装置であり、制御部１，モータ２，読取キャリッジ３，モータ駆動回路５，光源点灯回路６，入力装置７からなる。
制御部１は、ＣＰＵ１０，ＲＯＭ１１，ＲＡＭ１２，外部インタフェース（Ｉ／Ｆ）１３，モータ制御部１４，光源点灯制御部１５を有する。
また、読取キャリッジ３は、原稿を露光する光源を原稿の主走査方向に複数個配置した光源部４を備えており、光源部４を原稿の副走査方向へ走査させる走査手段の機能を果たす。上記光源には、半導体レーザダイオード（ＬＥＤ）等がある。
【０００９】
さらに、入力装置７には、この画像読取装置に対する各種の操作情報を入力する入力部及び各種の情報を表示する表示部を備えた操作部８と、入力部及び表示部を備えたパーソナルコンピュータ（ＰＣ）を含む外部入力装置９がある。
制御部１のＣＰＵ１０は、ＲＯＭ１１に格納されたプログラムを、ＲＡＭ１２を作業領域として実行することにより、この画像読取装置の全体の制御を司り、操作部８又は外部Ｉ／Ｆ１３に接続された外部入力装置９から入力された原稿を置く位置を示す原稿設置位置指示データを含む各種の情報を受け付ける。
ＣＰＵ１０は、上記原稿設置位置指示データに基づいてモータ制御部１４にモータ駆動信号を送出すると共に、光源点灯制御部１５に光源点灯信号を送出する。
モータ制御部１４は、上記モータ駆動信号に基づいてモータ駆動回路５を駆動させる。
光源点灯制御部１５は、上記光源点灯信号に基づいて光源点灯回路６を駆動させる。
モータ駆動回路５は、モータ制御部１４の制御によってモータ２を回転駆動させる。
【００１０】
光源点灯回路６は、光源点灯制御部１５の制御によって光源部４の各光源を点灯する。
モータ２は、読取キャリッジ３を原稿台に対して原稿の副走査方向へ往復動作させる。
この画像読取装置は、ＣＰＵ１０が上述の制御をし、上記各部の制御及び駆動動作により、原稿台（図示を省略）上に載置された原稿に対して読取キャリッジ３を原稿の副走査方向に操作させながら、光源部４の各光源から原稿に光を照射し、その反射光に基づいて原稿の画像を読み取り、その読み取った画像データを、例えば、外部入力装置９へ出力、図示を省略した印刷部によって印刷、又は図示を省略した通信部によってファクシミリ送信やネットワーク上の端末装置へ送信する。
【００１１】
図２は図１に示す画像読取装置の原稿台２０上に表示する位置ガイドの説明図である。
この画像読取装置の原稿台２０には、原稿Ｐを載置するプラテンガラス２１と、原稿Ｐを載置する位置の目安となる原稿基準位置を決める原稿スケール２２を有する。
その原稿台２０の下側には、原稿Ｐを露光する光源４０を原稿の主走査方向に所定の間隔で複数個配置した光源部４と、光源部４を搭載して原稿Ｐを副走査方向に走査すると共に、副走査方向に往復動作（図中矢示Ａ方向）する読取キャリッジ３が配設されている。
なお、図中には、図面が見難くならないように、光源の１つのみに符号の４０を付してその他の符号の記載を省略している。
【００１２】
ユーザの操作により、操作部８又は外部入力装置９からに原稿を置く位置を示す原稿設置位置指示データが入力されると、ＣＰＵ１０は、その原稿設置位置指示データに基づいて原稿台２０上の主走査方向における光源点灯位置Ｘ１，Ｘ２を算出し、上記原稿設置位置指示データに基づいて原稿台２０上の副走査方向における光源点灯位置Ｙ１，Ｙ２も算出して、上記原稿設置位置指示データと光源点灯位置Ｘ１，Ｘ２と光源点灯位置Ｙ１，Ｙ２を対応させてテーブル形式でＲＯＭ１１又はＲＡＭ１２に格納する。
【００１３】
そして、ユーザが原稿を原稿台に載置する際、例えば、読み取る原稿のサイズを指定すると、ＣＰＵ１０は、ＲＯＭ１１又はＲＡＭ１２から上記指定されたサイズに対応する光源点灯位置Ｘ１，Ｘ２と光源点灯位置Ｙ１，Ｙ２を読み出し、ユーザによって原稿台の蓋（図示を省略）が開かれると、光源点灯位置Ｘ１，Ｘ２に基づく光源点灯信号を光源点灯制御部１５へ送り、光源部４において光源点灯位置Ｘ１からＸ２の間に配置された各光源４０を点灯すると共に、光源点灯位置Ｙ１，Ｙ２に基づくモータ駆動信号をモータ制御部１４へ送り、光源部４を搭載した読取キャリッジ３を光源点灯位置Ｙ１とＹ２の区間で所定の速度で往復動作させる。
このようにして、光源部４の位置が原稿の副走査方向に光源点灯位置Ｙ１とＹ２間で往復動作するように読取キャリッジ３を往復動作させ、その往復動作の間、光源部４の各光源４０の内の光源点灯位置Ｘ１とＸ２の範囲で指定した個数の光源を点灯したままにすれば、上記光源からの光の軌跡又は残像により、原稿台２０上のプラテンガラス２１に原稿Ｐを置く位置を示す位置ガイド２３（図２中に斜線を施して示す矩形領域）を表示することができる。
【００１４】
そして、ユーザは位置ガイド２３に重ねるようにして原稿Ｐを載置することにより、原稿台２０上の読み取り位置に正しく原稿Ｐをセットすることができる。
なお、上記位置ガイド２３の表示の際、読取キャリッジ３を往復する区間の両端では光源部４の光源点灯位置Ｘ１，Ｘ２の間の全ての光源４０を点灯し（この点灯時間にある程度幅を持たせれば両端部の光の帯を太くすることができる）、往復動作中は光源部４の光源点灯位置Ｘ１とＸ２にそれぞれ対応する位置の１つ、又はその１つを含む数個の光源４０を点灯するようにすれば、上記位置ガイド２３を矩形枠で表示することができる。
また、読取キャリッジ３の往復動作を原稿の画像の読み取り時よりも高速にすれば、光の残像を強く残すことができ、プラテンガラス２１上に位置ガイド２３を明瞭に映すことができ、ユーザに原稿台２０上の位置ガイド２３を明確に認識させることができる。
【００１５】
上述の説明はこの発明の一実施例を示すものであり、上述の説明に限定するものではない。
図３は、図１に示す操作部８又は外部入力装置９の表示部における原稿設置位置を指示する作業画面例の説明図である。
図４は、原稿設置位置指示データと光源点灯位置とを対応させて記憶した原稿基準位置テーブルの一例を示す図である。
操作部８又は外部入力装置９の表示部には、図３に示すように、ユーザによる原稿設置位置指示の際の表示画面３０として、原稿サイズ設定欄３１，主走査方向の原稿設置位置設定欄３２，及び副走査方向の原稿設置位置設定欄３２の計３項目の入力項目が表示される。
ユーザは、原稿サイズ３１の項目について、ユーザが設置したい原稿サイズを選択項目「Ａ４」「Ｂ５」「Ａ５」……の中から選択して入力し、主走査方向の原稿設置位置３２の項目について、「右」「中央」「左」の中からユーザが設置したい項目を選択し、副走査方向の原稿設置位置３３の項目について、「上」「中央」「下」の中からユーザが設置したい項目を選択する。
このようにして、ユーザは原稿サイズと原稿設置位置を予め設定された項目から簡易的に指示できる。
【００１６】
そして、上記入力された原稿サイズと主走査方向の原稿設置位置と副走査方向の原稿設置位置とからなる原稿設置位置指示データがＣＰＵ１０へ送られる。
ＣＰＵ１０は、原稿設置位置指示データに基づいて光源点灯位置を求め、その求めた光源点灯位置と原稿設置位置指示データとを対応させて原稿基準位置テーブルに登録する。
図４に示すように、原稿基準位置テーブルは、原稿設置位置指示データの原稿サイズと主走査方向の原稿設置位置と副走査方向の原稿設置位置とに、光源点灯位置Ｘ１，Ｘ２，Ｙ１，Ｙ２を対応させて複数種類を格納することができ、この原稿基準位置テーブルを制御部１のＲＯＭ１１又はＲＡＭ１２に格納することにより、必要に応じてＣＰＵ１０から呼び出すことができる。
そして、ＣＰＵ１０は、この原稿基準位置テーブルから、例えば、ユーザによって選択された原稿サイズ，原稿設置位置に対応する光源点灯位置Ｘ１，Ｘ２，Ｙ１，Ｙ２を読み出し、その光源点灯位置Ｘ１，Ｘ２，Ｙ１，Ｙ２に基づいて位置ガイドを表示する。
【００１７】
図５は、図１に示す操作部８又は外部入力装置９の表示部における原稿設置位置を指示する他の作業画面例の説明図である。
操作部８又は外部入力装置９の表示部に、図５に示すように、表示画面３０上に原稿台を模した光源点灯位置指定領域３４を表示し、上述の原稿サイズと原稿設置位置の指定に代えて、ユーザが光源点灯位置指定領域３４内に任意の大きさの位置ガイド表示領域３５を指示するようにしてもよい。この場合、操作部８又は外部入力装置９の表示部には、タッチパネル，マウス等の補助入力装置を併用すると良い。
【００１８】
このようにすれば、ユーザは原稿を置く位置を直感的に、かつ任意の位置を正確に指示することができる。
そして、ＣＰＵ１０へは位置ガイド表示領域３５の矩形枠の位置データからなる原稿設置位置指示データが送られ、ＣＰＵ１０は原稿設置位置指示データに基づいて光源点灯位置Ｘ１，Ｘ２，Ｙ１，Ｙ２を算出し、その算出した光源点灯位置Ｘ１，Ｘ２，Ｙ１，Ｙ２に原稿設置位置指示データを対応させて原稿基準位置テーブルに格納する。
【００１９】
次に、この実施例の画像読取装置では、ＣＰＵ１０による読取キャリッジ３の駆動と光源部４の点灯の制御により、原稿台２０のプラテンガラス２１上にマス目状（網目状，方眼状）の位置ガイドを映すこともできる。
図６は、この実施例の画像読取装置の原稿台２０上に表示するマス目状の位置ガイドの説明図である。
ＣＰＵ１０は、モータ駆動信号によってモータ制御部１４を、光源点灯信号によって光源点灯制御部１５をそれぞれ制御することにより、読取キャリッジ３を原稿Ｐの副走査方向に往復動作（図中矢示Ｂ方向）させると共に、読取キャリッジ３の光源部４の各光源４０の全点灯と部分点灯を所定の時間間隔で繰り返し実施する。
例えば、光源部４を原稿Ｐの副走査方向に往復動作させながら、副走査方向の往復範囲内に設定した等間隔毎の定位置Ｙ３〜Ｙ１３では光源部４の全光源４０を全て点灯し、各定位置Ｙ３〜Ｙ１３の間では光源部４の各光源４０の内の等間隔を置いた光源のみ、図中では、主走査方向に設定した各位置Ｘ３〜Ｘ１０に対応する光源４１（図中には位置Ｘ３の光源のみに符号を付して他は省略する）のみを点灯する動作を繰り返すことにより、原稿台２０のプラテンガラス２１上にマス目状の位置ガイド２４（図中に斜線を施して示した網目模様の領域）を映す。図６中には点灯させる光源を黒く塗り潰して示し、一部には符号４１を付して示している。
【００２０】
このようにして、原稿台２０上の広範囲にマス目状の位置ガイドを表示することができ、ユーザは原稿Ｐの４角や４辺をそれぞれマス目に沿わせるようにして原稿Ｐを原稿台２０の所望の位置に正確に載置することができる。
なお、読取キャリッジ３の往復動作を原稿の画像の読み取り時よりも高速にすれば、光の残像を強く残すことができ、プラテンガラス２１上にマス目状の位置ガイド２４を明瞭に表示することができる。
このようすれば、操作部８又は外部入力装置９によるユーザからの原稿設置位置指示データを必要とせずに、原稿台２０上に原稿Ｐを載置する位置の目安となる位置ガイドを表示することができるので、ユーザは原稿台２０の任意の位置に原稿Ｐを精度良く設置する作業が容易に行える。
【００２１】
この実施例の画像読取装置は、原稿を露光する光源を主走査方向に複数個配置した光源部を有し、光源部の任意の光源を点灯し、かつ光源を搭載した読取キャリッジを往復動作させることにより、光の軌跡もしくは残像を利用して原稿を置く位置ガイドを原稿台上に表示するので、ユーザが原稿台の正しい読み取り位置に原稿を容易に載置することができる。また、追加部品無しに原稿を置く位置ガイドを原稿台上に表示することができるので、画像読取装置の製造コストも増大させずに済む。
【産業上の利用可能性】
【００２２】
この発明による画像読取装置は、ファクシミリ装置，スキャナ装置，複写機，複合機を含む画像形成装置においても適用することができる。
【符号の説明】
【００２３】
１：制御部    ２：モータ    ３：読取キャリッジ    ４：光源部    ５：モータ駆動回路    ６：光源点灯回路    ７：入力装置    ８：操作部    ９：外部入力装置    １０：ＣＰＵ    １１：ＲＯＭ    １２：ＲＡＭ    １３：外部Ｉ／Ｆ    １４：モータ制御部    １５：光源点灯制御部    ２０：原稿台    ２１：プラテンガラス    ２２：原稿スケール    ２３，２４：位置ガイド    ３０：表示画面    ３１：原稿サイズ設定欄    ３２：主走査方向位置設定欄    ３３：副走査方向位置設定欄    ３４：光源点灯位置指定領域    ３５：位置ガイド表示領域    ４０，４１：光源    Ｐ：原稿
【先行技術文献】
【特許文献】
【００２４】
【特許文献１】特開２００７−３６９５号公報
【図１】
0005407584.tif 000002
【図２】
0005407584.tif 000003
【図３】
0005407584.tif 000004
【図４】
0005407584.tif 000005
【図５】
0005407584.tif 000006
【図６】
0005407584.tif 000007